【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
容量感応型近接センサの感度を増大させるシステムであって、
タッチ・センサ基板の２つの層に配置されるＸおよびＹ電極の、実質的に直交するアレイを含むタッチ・センサであって、前記ＸおよびＹ電極が駆動および検知電極として機能可能である、タッチ・センサと、
前記タッチ・センサによって検出可能な電界を生成するために、前記タッチ・センサに隣接して配置される少なくとも１つのプロジェクタ電極と、
前記タッチ・センサおよび前記少なくとも１つのプロジェクタ電極に信号を送信し、前記タッチ・センサおよび前記少なくとも１つのプロジェクタ電極から前記信号を受信する容量検出回路と、
を備える、システム。
【請求項２】
請求項１記載のシステムであって、更に、複数のプロジェクタ電極を備え、該プロジェクタ電極の１つが前記タッチ・センサの各縁に隣接して配置される、システム。
【請求項３】
請求項１記載のシステムであって、更に、
実質的に等しい領域を有する、前記タッチ・センサおよび前記少なくとも１つのプロジェクタ電極を備える、システム。
【請求項４】
請求項１記載のシステムにおいて、前記少なくとも１つのプロジェクタ電極が、前記タッチ・センサの縁に平行な長辺を有する矩形である、システム。
【請求項５】
請求項１記載のシステムにおいて、前記少なくとも１つのプロジェクタ電極が更に、４つのプロジェクタ電極を備え、該４つのプロジェクタ電極のそれぞれが、前記タッチ・センサの縁に平行な長辺で、前記タッチ・センサから等距離に配置される、システム。
【請求項６】
請求項１記載のシステムにおいて、前記少なくとも１つのプロジェクタ電極が複数のプロジェクタ電極を備え、該プロジェクタ電極のそれぞれが、他のプロジェクタ電極とは異なる外形を有する、システム。
【請求項７】
請求項１記載のシステムにおいて、前記少なくとも１つのプロジェクタ電極が複数のプロジェクタ電極を備え、
前記複数のプロジェクタ電極のそれぞれの前記タッチ・センサからの距離が修正され、
前記複数のプロジェクタ電極のそれぞれが、前記タッチ・センサの感度を修正するために、前記タッチ・センサから離れて、または前記タッチ・センサに接近して移動される、システム。
【請求項８】
請求項１記載のシステムにおいて、前記少なくとも１つのプロジェクタ電極が更に、前記タッチ・センサによって検出可能な電界を生成するために、同一平面上に配置され、および前記タッチ・センサのＸおよびＹ電極の直交アレイによって形成される隙間に配置される複数のプロジェクタ電極を備え、
前記複数のプロジェクタ電極は、プロジェクタの相互接続を用いて全てが相互に結合されて、単一のセグメント化されたプロジェクタ電極を形成する、システム。
【請求項９】
容量近接センサの感度を増大させるシステムであって、
タッチ・センサ基板の２つの層に配置される、ＸおよびＹ電極の実質的に直交するアレイを含むタッチ・センサであって、前記ＸおよびＹ電極が駆動および検知電極として機能可能である、タッチ・センサと、
前記タッチ・センサによって検出可能な電界を生成するために、同一平面上に配置され、および前記タッチ・センサのＸおよびＹ電極の直交アレイによって形成される隙間に配置される複数のプロジェクタ電極であって、プロジェクタ相互接続を用いて全てが相互に結合されて、単一のセグメント化されたプロジェクタ電極を形成する、複数のプロジェクタ電極と、
前記タッチ・センサおよび前記複数のプロジェクタ電極に信号を送信し、前記タッチ・センサおよび前記複数のプロジェクタ電極から前記信号を受信する容量検出回路と、
を備える、システム。
【請求項１０】
請求項９記載のシステムであって、更に、
実質的に等しい領域を有する、前記タッチ・センサおよび前記複数のプロジェクタ電極を備える、システム。
【請求項１１】
容量感応型近接センサの感度を増大させる方法であって、
タッチ・センサ基板の２つの層に配置される、ＸおよびＹ電極の実質的に直交するアレイを含むタッチ・センサを設けるステップであって、前記ＸおよびＹ電極が駆動および検知電極として機能可能である、ステップと、
前記タッチ・センサによって検出可能な電界を生成するために、前記タッチ・センサに隣接して配置される少なくとも１つのプロジェクタ電極を設けるステップと、
前記タッチ・センサおよび前記少なくとも１つのプロジェクタ電極に信号を送信し、前記タッチ・センサおよび前記少なくとも１つのプロジェクタ電極から前記信号を受信する容量検出回路を設けるステップと、
を含む、方法。
【請求項１２】
請求項１１記載の方法であって、更に、複数のプロジェクタ電極を設けるステップを含み、
前記プロジェクタ電極の内の少なくとも１つが、前記タッチ・センサの感度を増大されるために、前記タッチ・センサの各縁に隣接して配置される、方法。
【請求項１３】
請求項１１記載の方法であって、更に、前記タッチ・センサの感度を最大化するために、実質的に等しい領域を有する前記タッチ・センサおよび前記少なくとも１つのプロジェクタ電極を製造するステップを含む、方法。
【請求項１４】
請求項１１記載の方法であって、更に、少なくとも４つのプロジェクタ電極を設けるステップを含み、
前記４つのプロジェクタ電極のそれぞれが、前記タッチ・センサのまわりで感度を等しく均衡させるために、前記タッチ・センサの縁に平行な長辺で、前記タッチ・センサから等距離に配置される、方法。
【請求項１５】
請求項１１記載の方法であって、更に、複数のプロジェクタ電極を設けるステップを含み、前記タッチ・センサのまわりで感度の不均衡を生じさせるために、前記複数のプロジェクタ電極の前記タッチ・センサに対する距離が修正される、方法。
【請求項１６】
請求項１１記載の方法であって、更に、複数のプロジェクタ電極を設けるステップを含み、前記タッチ・センサの感度を修正するために、前記プロジェクタ電極の形状が他のプロジェクタ電極とは異なる外形を有する、方法。
【請求項１７】
請求項１１記載の方法であって、更に、複数のプロジェクタ電極を設けるステップを含み、
前記複数のプロジェクタ電極のそれぞれの前記タッチ・センサからの距離が修正され、
前記複数のプロジェクタ電極のそれぞれが、前記タッチ・センサの感度を修正するために、前記タッチ・センサから離れて、または前記タッチ・センサに接近して移動される、方法。
【請求項１８】
請求項１１記載の方法であって、更に、
複数のプロジェクタ電極を、前記タッチ・センサの周辺部の外に設けるステップと、
前記タッチ・センサによって検出可能な電界を生成するために、複数のプロジェクタ電極を、前記タッチ・センサの周辺部内および前記タッチ・センサと同一平面上に、並びに、前記タッチ・センサのＸおよびＹ電極の直交アレイによって形成される隙間に設けるステップであって、前記複数のプロジェクタ電極が、プロジェクタ相互接続を用いて全てが相互に結合され、単一のセグメント化されたプロジェクタ電極を形成する、ステップと、
を含む。方法。
【請求項１９】
容量感応型近接センサの感度を増大させるシステムであって、
タッチ・センサ基板の２つの層上に配置される、実質的に直交するＸおよびＹ電極のアレイを含むタッチ・センサであって、前記ＸおよびＹ電極が駆動および感検知電極として機能可能である、タッチ・センサと、
前記タッチ・センサによって検出可能な電界を生成するために、前記タッチ・センサに隣接して配置される少なくとも１つのプロジェクタ電極と、
前記少なくとも１つのプロジェクタ電極に信号を送信し、前記タッチ・センサから信号を受信する容量検出回路と
を備える、システム。